(57)【要約】【課題】本発明は、複数のスピーカに対する設定操作を一段と簡易に実行させ得るようにする。【解決手段】本発明は、マルチチャンネルに対応した複数のスピーカ４を接続対象としたホームサーバ２であって、複数のスピーカ４に対する個々のスピーカ設定をそれぞれ個別に行う制御部１０と、当該制御部１０によって設定される複数のスピーカ４に対する配置状態と、複数のスピーカ４に対するスピーカ設定内容との関係性をＬＣＤ５に対して視覚的に表示するグラフィック処理部１５とを設けることにより、複数のスピーカ４に対する配置及びスピーカ４毎のスピーカ設定内容をユーザに対して視覚を通じて認識させることができるので、複数のスピーカ４に対する設定操作を容易に実行させることができる。【選択図】図２
2008072399.tif 000002
【特許請求の範囲】
【請求項１】
マルチチャンネルに対応した複数のスピーカを接続対象とした音響装置であって、
上記複数のスピーカに対する個々のスピーカ設定をそれぞれ個別に行うスピーカ設定手段と、
上記スピーカ設定手段によって設定される上記複数のスピーカに対する配置状態と、上記複数のスピーカに対するスピーカ設定内容との関係性を表示部に対して視覚的に表示するグラフィカルユーザインタフェース手段と
を具えることを特徴とする音響装置。
【請求項２】
上記グラフィカルユーザインタフェース手段は、上記複数のスピーカに対する配置状態と、上記複数のスピーカに対するスピーカ設定内容との関係性を一覧表示する
ことを特徴とする請求項１に記載の音響装置。
【請求項３】
上記グラフィカルユーザインタフェース手段は、上記スピーカ設定内容に関する詳細を文字表示する
ことを特徴とする請求項１に記載の音響装置。
【請求項４】
上記グラフィカルユーザインタフェース手段は、上記スピーカ設定内容に関する詳細として、エラー内容又はワーニング内容を文字表示する
ことを特徴とする請求項３に記載の音響装置。
【請求項５】
マルチチャンネルに対応した複数のスピーカを接続対象とした音響装置の音響設定方法であって、
上記複数のスピーカに対する個々のスピーカ設定をそれぞれ個別に行うスピーカ設定ステップと、
上記スピーカ設定ステップによって設定される上記複数のスピーカに対する配置状態と、上記複数のスピーカに対するスピーカ設定内容との関係性を表示部に対して視覚的に表示する表示ステップと
を具えることを特徴とする音響設定方法。
【請求項６】
マルチチャンネルに対応した複数のスピーカを接続対象とした音響装置に対して、
上記複数のスピーカに対する個々のスピーカ設定をそれぞれ個別に行うスピーカ設定ステップと、
上記スピーカ設定ステップによって設定される上記複数のスピーカに対する配置状態と、上記複数のスピーカに対するスピーカ設定内容との関係性を表示部に対して視覚的に表示する表示ステップと
を実行させることを特徴とする音響設定プログラム。
【発明の詳細な説明】
【技術分野】
【０００１】
本発明は、音響装置、音響設定方法及び音響設定プログラムに関し、例えばマルチチャンネルスピーカシステムに適用して好適なものである。
【背景技術】
【０００２】
従来、マルチチャンネル再生機能を有するオーディオアンプや、当該オーディオアンプにチューナ機能を持たせたレシーバ等のオーディオシステムに映像再生機能が備えられたオーディオビジュアルシステム（以下、これをＡＶシステムと呼ぶ）においては、初期設定として各スピーカに対するスピーカ設定が必ず必要である。
【０００３】
一般的なマルチチャンネル再生機能を有するＡＶシステムとしては、例えばＤＶＤビデオの音声フォーマットが５．１ｃｈであることに対応した左フロントスピーカＦＬ、右フロントスピーカＦＲ、センタスピーカＣＴ、左サラウンドスピーカＳＬ、右サラウンドスピーカＳＲ及びサブウーファＳＷからなる５．１ｃｈスピーカシステムがある（例えば、特許文献１参照）。
【０００４】
近年では、DOLBY DIGITAL EX（商標）や、dts-ES（商標）等の６．１ｃｈの再生出力に対応したサラウンドバックスピーカを標準で装備している６．１ｃｈのＡＶシステムもあり、さらにはサラウンドバックスピーカを２つにした７．１ｃｈや、サラウンドスピーカを４つにした９．１ｃｈのスピーカシステムが増えている。
【０００５】
この種のマルチチャンネルに対応したＡＶシステムにおいては、実際に接続された複数のスピーカに対して、スピーカの有／無、大きい（全帯域再生用スピーカ）／小さい（中高帯域再生用スピーカ）等の項目についてそれぞれ設定しなければ、最適なマルチチャンネル再生環境を構築することができないため、スピーカ設定機能が必須で搭載されているものが多い。
【特許文献１】特開2005-12534公報
【発明の開示】
【発明が解決しようとする課題】
【０００６】
ところでかかる構成のＡＶシステムにおいては、個々のスピーカ毎にスピーカ設定を行うに当たって、音場空間に配置されているスピーカ毎にそれぞれ設定状態を決定していくため、多数の項目を一々設定しなければならず、ユーザにとっては非常に煩雑な操作を強いられるという問題があった。
【０００７】
またＡＶシステムでは、２ｃｈ＜５．１ｃｈ＜６．１ｃｈ＜７．１ｃｈ＜９．１ｃｈのように、チャンネル数が増加するに伴ってスピーカ設定項目や設定パターンも増加していく。このような設定作業は、スピーカや他の機器との接続等と同様、ユーザにとって非常に分かり難くいものである。
【０００８】
通常、ＡＶシステムではオーディオアンプ等の音響機器に備えられたユーザインタフェースとして表示能力の乏しいＦＬ(Fluorescent Lamp)管だけを用いていることが多く、上述したような多数の項目をユーザに設定させる場合、設定操作が複雑になり、誰でもが簡単に設定操作し得る操作環境ではなかった。
【０００９】
本発明は以上の点を考慮してなされたもので、複数のスピーカに対する設定操作を一段と簡易に実行させ得る音響装置、音響設定方法及び音響設定プログラムを提案しようとするものである。
【課題を解決するための手段】
【００１０】
かかる課題を解決するため本発明においては、マルチチャンネルに対応した複数のスピーカを接続対象とした音響装置であって、複数のスピーカに対する個々のスピーカ設定をそれぞれ個別に行うスピーカ設定手段と、当該スピーカ設定手段によって設定される複数のスピーカに対する配置状態と、複数のスピーカに対するスピーカ設定内容との関係性を表示部に対して視覚的に表示するグラフィカルユーザインタフェース手段とを設けることにより、複数のスピーカに対する配置及びスピーカ毎のスピーカ設定内容をユーザに対して視覚を通じて認識させることができるので、複数のスピーカに対する設定操作を容易に実行させることができる。
【発明の効果】
【００１１】
本発明によれば、複数のスピーカに対する配置及びスピーカ毎のスピーカ設定内容をユーザに対して視覚を通じて認識させることができるので、複数のスピーカに対する設定操作を容易に実行させることができ、かくして複数のスピーカに対する設定操作を一段と簡易に実行させ得る音響装置、音響設定方法及び音響設定プログラムを実現することができる。
【発明を実施するための最良の形態】
【００１２】
（１）本実施の形態におけるＡＶシステムの全体構成
図１に示すように、本実施の形態におけるＡＶ(Audio Visual)システム１は、ホームサーバ２に対して、複数の再生装置３、複数のスピーカ４及び表示部として、例えばＬＣＤ(Liquid Crystal Display)５をそれぞれ接続することにより構成される。
【００１３】
この実施の形態では、再生装置３として、例えば、ＤＶＤ(Digital Versatile Disk)プレーヤ３Ａ、ＣＤ(Compact Disk)プレーヤ３Ｂ及び携帯型音楽プレーヤ３Ｃがホームサーバ２にそれぞれ接続される。
【００１４】
またこの実施の形態では、スピーカ４として、例えば、７．１ｃｈサラウンドシステムに対応する左フロントスピーカ４ＦＬ、右フロントスピーカ４ＦＲ、センタスピーカ４ＣＴ、左サラウンドスピーカ４ＳＬ、右サラウンドスピーカ４ＳＲ、左サラウンドバックスピーカ４ＳＢＬ、右サラウンドバックスピーカ４ＳＢＲ及びサブウーファ４ＳＷがそれぞれホームサーバ２に対して接続される。
【００１５】
これら各スピーカ４（４ＦＬ、４ＦＲ、４ＣＴ、４ＳＬ、４ＳＲ、４ＳＢＬ、４ＳＢＲ及び４ＳＷ）は、リスニングルームの状態や、実現したい音場空間等に応じて適宜配置されるようになされている。
【００１６】
また、このＡＶシステム１では、音場空間に関する各種設定画面をＬＣＤ５に表示し、リモートコントローラＲＣＬなどの操作に応じて設定された設定内容を保存すると共に、その設定内容に応じた音響環境を構築し、ユーザに聴取させ得るようになされている。
【００１７】
（２）ホームサーバの構成
次に、このホームサーバ２の回路構成を説明する。図２に示すようにホームサーバ２は、制御部１０に対して、操作入力部１１、インターフェース１２、データ記憶媒体１３、ＦＬ管（蛍光表示管）１４、グラフィック処理部１５、ディジタル信号処理部１６、配信処理部１７及びアナログ信号処理部１８がそれぞれ接続された構成を有する。
【００１８】
制御部１０は、このＡＶシステム１全体の制御を司るＣＰＵ(Central Processing Unit)と、基本プログラム及び各種アプリケーションプログラムが格納されるＲＯＭ(Read Only Memory)と、当該ＣＰＵのワークメモリとして使用されるＲＡＭ(Random Access Memory)とを含むマイクロコンピュータで構成されている。
【００１９】
操作入力部１１は、このホームサーバ２の筺体表面及びリモートコントローラＲＣＬ（図１）に設けられた各種操作子（操作ボタンやロータリエンコーダ（回転自在のノブ）等）の操作に対応する制御データを生成し、これを制御部１０へ送出する。
【００２０】
インターフェース１２は、例えばＵＳＢ(Universal Serial Bus)でなり、制御部１０から供給される制御データを、このインターフェース１２に接続された例えばＤＶＤプレーヤ３Ａ、ＣＤプレーヤ３Ｂ及び携帯型音楽プレーヤ３Ｃへ送出する一方、当該ＤＶＤプレーヤ３Ａ、ＣＤプレーヤ３Ｂ及び携帯型音楽プレーヤ３Ｃにより生成された制御データを受け取って制御部１０へ送出する。
【００２１】
データ記憶媒体１３は、例えばＥＥＰＲＯＭ（Electrically Erasable Programmable Read Only Memory）でなり、当該データ記憶媒体１３には、音場空間に関する複数のスピーカ４に対する各種設定内容を表すデータ（以下、これを設定データと呼ぶ）Ｄ１と、ＧＵＩ(Graphical User Interface)画面のテンプレートとなる各種画面データ（以下、これを設定画面データと呼ぶ）Ｄ２が記憶される。
【００２２】
ＦＬ管１４は、ホームサーバ２の筐体表面に設けられており、制御部１０により生成されたコンテンツの内容を表す文字や、音場空間に関する設定項目の詳細を表す文字等を表示するようになされている。
【００２３】
グラフィック処理部１５には、ＤＶＤプレーヤ３Ａによって再生されたビデオ信号が、図示しないディジタルビデオ入力端子、アナログビデオ入力端子又はコンポーネントビデオ入出力端子を介して入力される。またグラフィック処理部１５には、データ記憶媒体１３に記憶された設定データＤ１及び設定画面データＤ２が入力される。
【００２４】
グラフィック処理部１５は、ビデオ信号が入力された場合、そのビデオ信号に対して所定の信号処理を施し、その結果として得られるビデオ信号をＬＣＤ５（図１）に出力することによって当該ビデオ信号に応じたビデオ映像を表示する。
【００２５】
一方、グラフィック処理部１５は、設定データＤ１及び設定画面データＤ２が入力された場合、これら設定データＤ１及び設定画面データＤ２に基づいてＧＵＩ画面データＤ３を生成し、これをＬＣＤ５（図１）に出力することによって当該ＧＵＩ画面データＤ３に応じたＧＵＩ画面を表示するようになされている。
【００２６】
ディジタル信号処理部１６には、ＤＶＤプレーヤ３Ａ又は携帯型音楽プレーヤ３Ｃによって再生される光ディジタルオーディオ信号が、ディジタル入出力端子を介してＤＩＲ(Digital Interface Receiver)３１に入力される。またディジタル信号処理部１６には、ＣＤプレーヤ３Ｂによって再生されるアナログオーディオ信号が、アナログ入出力端子を介してディジタル信号処理部１６のＡＤＣ (Analog Digital Converter)３２に入力される。
【００２７】
ＤＩＲ３１は、光ディジタルオーディオ信号を電気信号によるディジタルオーディオ信号に変換し、これをデコーダ／ＤＳＰ(Digital Signal Processor)３３へ送出する。ＡＤＣ３２は、アナログオーディオ信号をディジタルオーディオ信号に変換し、これをデコーダ／ＤＳＰ３３へ送出する。
【００２８】
デコーダ／ＤＳＰ３３は、ＤＩＲ３１又はＡＤＣ３２から供給されるディジタルオーディオ信号に対して各種処理を必要に応じて施すようになされている。具体的にはディジタルオーディオ信号が圧縮されている場合、デコーダ／ＤＳＰ３３は、当該圧縮方式に応じた伸長処理を施す。また、ディジタルオーディオ信号が７．１ｃｈ等の多重化信号である場合、デコーダ／ＤＳＰ３３は、チャンネル毎のディジタルオーディオ信号に分離する。
【００２９】
さらにデコーダ／ＤＳＰ３３は、複数のスピーカ４によって形成される音像に関する設定データＤ１が制御部１０から与えられている場合、その設定データＤ１に基づいて、例えばある周波数帯の信号に対する振幅や位相を調整したり、チャンネル数を擬似的に増減する等の処理を実行する。
【００３０】
デコーダ／ＤＳＰ３３は、このような各種信号処理を適宜施し、その信号処理後に得られるディジタルオーディオ信号をＤＡＣ(Digital Analog Converter)３４へ送出する。このディジタルオーディオ信号は、ＤＡＣ３４によりアナログオーディオ信号に変換され、配信処理部１７へ出力される。
【００３１】
配信処理部１７は、ＤＡＣ３４から入力されるアナログオーディオ信号を、後段のアナログ信号処理部１８のうち、当該アナログオーディオ信号のチャンネルに対応するボリューム調整部４１１〜４１８へ送出する。
【００３２】
ボリューム調整部４１１〜４１８は、配信処理部１７から入力されるアナログオーディオ信号のレベルを、操作入力部１１から与えられるボリューム変更命令にしたがってチャンネル毎に調整し、当該調整後のアナログオーディオ信号をアンプ４２１〜４２８へ送出する。
【００３３】
このチャンネル毎のアナログオーディオ信号は、アンプ４２１〜４２８により、各スピーカ４（４ＦＬ、４ＦＲ、４ＣＴ、４ＳＬ、４ＳＲ、４ＳＢＬ、４ＳＢＲ及び４ＳＷ）を駆動できるように増幅され、リレー４３１〜４３８を介して出力される。
【００３４】
因みに、リレー４３１〜４３８は、例えば、操作入力部１１から与えられる命令により、使用しないスピーカ４への出力を遮断することもでき、これにより使用するスピーカ４と、使用しないスピーカ４とを使い分けることができるようになされている。
【００３５】
（３）制御部の具体的な処理内容
次に、このホームサーバ２における制御部１０の具体的な処理内容を説明する。制御部１０は、ＲＯＭに記憶された基本プログラム及び各種アプリケーションプログラムに従い、操作入力部１１又はインターフェース１２から与えられる制御データと、データ記憶媒体１３に記憶された設定データＤ１等に基づいて、表示部１４、グラフィック処理部１５、ディジタル信号処理部１６、配信処理部１７及びアナログ信号処理部１８を適宜制御することによって各種処理を実行する。
【００３６】
（３−１）再生処理
制御部１０は、例えば再生命令を表す制御データが操作入力部１１から与えられた場合、この再生命令の対象とされるＤＶＤプレーヤ３Ａ、ＣＤプレーヤ３Ｂ又は携帯型音楽プレーヤ３Ｃを駆動して再生制御し、ＤＶＤプレーヤ３Ａ、ＣＤプレーヤ３Ｂ又は携帯型音楽プレーヤ３Ｃから供給されるコンテンツ情報に基づいて当該コンテンツの内容を表す文字データを生成し、当該文字データに応じた文字をＦＬ管１４及びＬＣＤ５に表示する。
【００３７】
また制御部１０は、ＤＶＤプレーヤ３Ａを再生中、当該ＤＶＤプレーヤ３Ａから供給されるビデオ信号に基づくビデオ映像を、グラフィック処理部１５を介してＬＣＤ５（図１）に表示する。因みに、制御部１０は、ＣＤプレーヤ３Ｂ又は携帯型音楽プレーヤ３Ｃの再生中にあっては、各ソースに合わせた映像をグラフィック処理部１５により生成し、これをＬＣＤ５に表示する。
【００３８】
（３−２）音場設定処理
また制御部１０は、例えば音場設定命令を表す制御データが操作入力部１１から与えられた場合、データ記憶媒体１３に記憶された設定データＤ１及び設定画面データＤ２に基づくＧＵＩ画面データＤ３を、グラフィック処理部１５を介して生成させ、当該ＧＵＩ画面データＤ３に応じたＧＵＩ画面をＬＣＤ５（図１）に表示する。
【００３９】
そして制御部１０は、リモートコントローラＲＣＬなどの操作に応じて操作入力部１１から音場空間に配置された各スピーカ４に対する設定変更命令が与えられたとき、その設定変更命令の内容に応じて、データ記憶媒体１３に記憶された設定データＤ１の内容を書き換える。
【００４０】
なお制御部１０は、設定変更命令の内容が音像に関する内容であった場合、設定変更命令が与えられたとき、その設定変更命令に応じた音像となるように、所定のテスト音をスピーカ４から出力すると共に、当該音像をイメージとしてＬＣＤ５（図１）に表示することによって、聴覚及び視覚的に音像を表現し得るようになされている。
【００４１】
なお、この実施の形態の場合、ホームサーバ２では、各スピーカ４（４ＦＬ、４ＦＲ、４ＣＴ、４ＳＬ、４ＳＲ、４ＳＢＬ、４ＳＢＲ及び４ＳＷ）を、例えばリスニングルーム、キッチン、子供部屋等のそれぞれの音場空間毎に複数のグループとして割り当て、当該グループに属するスピーカ４から互いに異なる再生音又は同じ再生音を出力するように設定し得るようになされている。
【００４２】
従ってホームサーバ２では、各グループに属するスピーカ４をそれぞれ異なる音場空間に配置し、個々の音場空間をゾーンとして認識することにより、ゾーン単位での音場補正を一括して集中管理し得るようになされている。
【００４３】
（４）ＧＵＩを用いた音場設定方法
このＡＶシステム１では、ホームサーバ２のＦＬ管１４ではなく、表示能力が豊かなＬＣＤ５に対して表示する音場設定用のＧＵＩ画面を順次介して音場空間の音場を自動設定したり、マニュアル設定し得るようになされている。
【００４４】
（４−１）ＧＵＩを用いた自動音場設定方法
実際上、ホームサーバ２の制御部１０は、電源の投入に伴い、グラフィック処理部１５により、図３に示すようなホーム画面ＨＭを生成し、これをＬＣＤ５に表示する。このホーム画面ＨＭでは、「ビデオ」アイコンＡＣ１、「ミュージック」アイコンＡＣ２、「セッティング」アイコンＡＣ３が最上位の階層に配置されている。
【００４５】
制御部１０は、ホーム画面ＨＭの「ビデオ」アイコンＡＣ１が選択決定された場合、図４に示すように、ＤＶＤプレーヤ３Ａから供給されるビデオ信号に応じたビデオ映像ＶＳをＬＣＤ５に表示する。
【００４６】
また制御部１０は、ホーム画面ＨＭの「ミュージック」アイコンＡＣ２が選択決定された場合、図５に示すように、例えばＣＤプレーヤ３Ｂの再生音声とは無関係の「ＮＯＷ  ＰＬＡＹＩＮＧ」の文字からなる通知画面Ｎ１をグラフィック処理部１５により生成し、これをＬＣＤ５に表示したり、或いは図６に示すように携帯型音楽プレーヤ３Ｃの再生トラック番号、再生経過時間、アーティスト名及びアルバム名等からなる通知画面Ｎ２をグラフィック処理部１５により生成し、これをＬＣＤ５に表示するようになされている。
【００４７】
これにより制御部１０は、通知画面Ｎ１（図５）や通知画面Ｎ２（図６）により、ＣＤ再生中であることや、携帯型音楽プレーヤ３Ｃによる再生内容をユーザに対して視覚的に通知し得るようになされている。
【００４８】
ところでホームサーバ２の制御部１０は、ＬＣＤ５に表示するＧＵＩ画面上で音場自動設定処理や音場マニュアル設定処理を容易に実行させ得るようになされており、その場合、ユーザに対して「セッティング」アイコンＡＣ３（図３）を選択させたうえで、その下位階層にある「オートキャリブレーション」アイコンＡＣ４を選択決定させるようになされている。
【００４９】
この場合、制御部１０は、図７に示すように、グラフィック処理部１５により生成したオートキャリブレーショントップ画面ＣＴをＬＣＤ５に表示する。このオートキャリブレーショントップ画面ＣＴは、音場設定処理を自動的に開始させるための最初の画面であり、「スピーカのレベルや距離を、自動的に設定します。」の文字が表示され、リモートコントローラＲＣＬの「エンター」キーに対する押下操作に応じてＬＣＤ５を次の表示に切り換える。
【００５０】
このとき制御部１０は、図８に示すように、リモートコントローラＲＣＬの「エンター」キーに対する押下操作に応じてグラフィック処理部１５により生成したリスニングポジション選択画面ＬＰＳをＬＣＤ５に表示する。
【００５１】
このリスニングポジション選択画面ＬＰＳでは、３種類のリスニングポジション（Ｐｏｓｉｔｉｏｎ１、Ｐｏｓｉｔｉｏｎ２、Ｐｏｓｉｔｉｏｎ３）を設定することができるようになされており、リモートコントローラＲＣＬの上下キーに対する押下操作に応じてユーザが設定を希望するリスニングポジション（Ｐｏｓｉｔｉｏｎ１、Ｐｏｓｉｔｉｏｎ２、Ｐｏｓｉｔｉｏｎ３）の何れかを選択させ得るようになされている。
【００５２】
因みに、リスニングポジション選択画面ＬＰＳを介して設定可能なリスニングポジションとしては、音場空間内における３種類のリスニングポイント毎にそれぞれ設定したり、同一のリスニングポイントであっても音場空間に対する３種類の補正パターン毎にそれぞれ設定したり、或いは３人のユーザ毎にそれぞれ設定しても良く、その名称についても自由に変更することが可能である。
【００５３】
制御部１０は、リスニングポジション選択画面ＬＰＳ（図８）を表示中、リモートコントローラＲＣＬの「エンター」キーに対する押下操作に応じて画面を切り換え、図９に示すように、グラフィック処理部１５により生成した測定項目チェック画面ＭＩＣをＬＣＤ５に表示する。
【００５４】
この測定項目チェック画面ＭＩＣ（図９）は、ユーザが音場設定を行うのに必要な「スピーカの距離」、「スピーカのレベル」、「周波数特性」の３項目が設けられており、その中からユーザにとって必要な項目のチェックボックスＣＢ１〜ＣＢ３に対してチェックさせ得るようになされている。
【００５５】
制御部１０は、測定項目チェック画面ＭＩＣ（図９）の３項目の全て又はその幾つかに対してチェックが付けられた状態で、リモートコントローラＲＣＬの「エンター」キーが押下操作されたことを認識すると、図１０に示すように、グラフィック処理部１５により生成した測定スタート画面ＭＳにＬＣＤ５の表示を切り換える。
【００５６】
測定スタート画面ＭＳ（図１０）では、「マイクをリスニングポジションにおいて測定をスタートさせてください。」の文字が表示されると共に、「測定スタート」アイコンＡＣ５が表示される。
【００５７】
制御部１０は、この測定スタート画面ＭＳ（図１０）の「測定スタート」アイコンＡＣ５にフォーカスが当てられた状態で、リモートコントローラＲＣＬの「エンター」キーが押下操作されたことを認識すると、図１１に示すように、グラフィック処理部１５により生成した測定中注意事項画面ＭＺにＬＣＤ５の表示を切り換える。
【００５８】
この測定中注意事項画面ＭＺ（図１１）は、「測定をスタートします。測定エリアから出てください。」の注意事項を表示することにより測定開始後に正確な測定結果が得られるように注意を促すと共に、「５」の数字から順次カウントダウン表示することにより測定開始までに測定エリアから出られるように時間の経過を目視確認させ得るようになされている。
【００５９】
なお制御部１０は、測定中注意事項画面ＭＺ（図１１）に設けられた「測定中止」アイコンＡＣ６にフォーカスが当てられた状態で、リモートコントローラＲＣＬの「エンター」キーが押下操作されたことを認識すると、測定処理を中止し、上述したオートキャリブレーショントップ画面ＣＴ（図７）にＬＣＤ５の表示を切り換える。
【００６０】
制御部１０は、測定中注意事項画面ＭＺ（図１１）を表示中、リモートコントローラＲＣＬの「エンター」キーが押下操作されたことを認識すると、図１２に示すように、グラフィック処理部１５により生成した測定中画面ＭＩＳにＬＣＤ５の表示を切り換える。
【００６１】
測定中画面ＭＩＳ（図１２）は、測定項目チェック画面ＭＩＣ（図９）に表示された「スピーカの距離」、「スピーカのレベル」、「周波数特性」の中からユーザにとって選択された項目に応じた測定処理を現在実行中であることを「測定中」の文字によってユーザに通知するようになされている。
【００６２】
なおユーザは、測定中画面ＭＩＳ（図１２）の表示中に、自らの意思によって測定を中止させたい場合、「測定中止」アイコンＡＣ６にフォーカスを当てた状態で、リモートコントローラＲＣＬの「エンター」キーを押下操作すればよい。
【００６３】
制御部１０は、測定中画面ＭＩＳ（図１２）の表示中、「測定中止」アイコンＡＣ６にフォーカスが当てられた状態で、リモートコントローラＲＣＬの「エンター」キーが押下操作されたことを認識すると、図１３に示すように、グラフィック処理部１５により生成した測定中止問合画面ＭＳＴＰにＬＣＤ５の表示を切り換える。
【００６４】
測定中止問合画面ＭＳＴＰ（図１３）では、「測定を中止します。よろしいですか？」の文字が表示されると共に、「再測定する」アイコンＡＣ７及び「測定を終了する」アイコンＡＣ８が表示されている。
【００６５】
制御部１０は、測定中止問合画面ＭＳＴＰ（図１３）における「測定を終了する」アイコンＡＣ８にフォーカスが当てられた状態で、リモートコントローラＲＣＬの「エンター」キーが押下操作されたことを認識した場合に限り、音場空間の測定を終了し、オートキャリブレーショントップ画面ＴＰ（図７）にＬＣＤ５の表示を切り換えるようになされている。
【００６６】
因みに制部１０は、測定中止問合画面ＭＳＴＰ（図１３）における「再測定する」アイコンＡＣ７にフォーカスが当てられた状態で、リモートコントローラＲＣＬの「エンター」キーが押下操作されたことを認識すると、上述した測定スタート画面ＭＳ（図１０）にＬＣＤ５の表示を戻した後、再測定を促すようになされている。
【００６７】
ところで制御部１０は、測定中画面ＭＩＳ（図１２）の表示中、何らかのエラーが発生した場合、図１４〜図１８に示すように、グラフィック処理部１５により生成したエラー種類毎のエラー通知画面ＥＮ１〜ＥＮ５をＬＣＤ５に表示するようになされている。
【００６８】
エラー通知画面ＥＮ１（図１４）では、「Ｅｒｒｏｒ  Ｃｏｄｅ：３０」の文字により、エラーコード３０のエラーが発生していること、及び「ヘッドホンジャックが挿入されています。ヘッドホンをはずして再測定してください。」の文字により、そのエラーの具体的内容及びその後の指示をユーザに通知するようになされている。
【００６９】
また、エラー通知画面ＥＮ２（図１５）では、「Ｅｒｒｏｒ  Ｃｏｄｅ：３１」の文字により、エラーコード３１のエラーが発生していること、及び「スピーカスイッチがＯＦＦになっています。スピーカスイッチを音の出る状態にして、再測定してください。」の文字により、そのエラーの具体的内容及びその後の指示をユーザに通知するようになされている。
【００７０】
さらに、エラー通知画面ＥＮ３（図１６）では、「Ｅｒｒｏｒ  Ｃｏｄｅ：３２」の文字により、エラーコード３２のエラーが発生していること、及び「どのチャンネルからも音が検出されませんでした。測定用のマイクが正しく接続されていることを確認し、再測定してください。接続されている場合は測定用マイクが断線していることが考えられます。」の文字により、そのエラーの具体的内容、その後の指示及びエラーの発生原因をユーザに通知するようになされている。
【００７１】
同様に、エラー通知画面ＥＮ４（図１７）では、「Ｅｒｒｏｒ  Ｃｏｄｅ：３３」の文字により、エラーコード３３のエラーが発生していること、及び「フロントスピーカが接続されていない、またはサラウンドスピーカが１本しか接続されていません。」の文字により、そのエラーの具体的内容をユーザに通知するようになされている。
【００７２】
また、エラー通知画面ＥＮ５（図１８）では、「Ｅｒｒｏｒ  Ｃｏｄｅ：３４」の文字により、エラーコード３４のエラーが発生していること、及び「スピーカが正しい位置に設置されていません。左右が逆になっているなどが考えられます。取扱説明書の「準備１：スピーカを設置する」を参考にしてスピーカの位置を確認してください。」の文字により、そのエラーの具体的内容及びその後の処置の仕方をユーザに通知するようになされている。因みに、これらエラー通知画面ＥＮ１〜ＥＮ５について説明したが、エラー通知画面の種類としてはこれに限るものではない。
【００７３】
ところで制御部１０は、エラー通知画面ＥＮ１〜ＥＮ５（図１４〜図１８）の中で表示された「再測定する」アイコンＡＣ７にフォーカスが当てられた状態で、リモートコントローラＲＣＬの「エンター」キーが押下操作されたことを認識した場合、再度測定処理を実行するべく、上述したリスニングポジション選択画面ＬＰＳ（図８）にＬＣＤ５の表示を切り換えるようになされている。
【００７４】
一方、制御部１０は、エラー通知画面ＥＮ１〜ＥＮ５（図１４〜図１８）の中で表示された「測定を終了する」アイコンＡＣ８にフォーカスが当てられた状態で、リモートコントローラＲＣＬの「エンター」キーが押下操作されたことを認識した場合、これで測定処理を終了するべく、上述したオートキャリブレーショントップ画面ＴＰ（図７）にＬＣＤ５の表示を切り換えるようになされている。
【００７５】
そして制御部１０は、測定中画面ＭＩＳ（図１２）の表示中に、何らエラーが発生することなく、測定処理を終了した場合、図１９に示すように、グラフィック処理部１５により生成した測定結果画面ＭＦＮにＬＣＤ５の表示を切り換える。
【００７６】
この測定結果画面ＭＦＮ（図１９）は、音場空間に配置された複数のスピーカ４（４ＦＬ、４ＦＲ、４ＣＴ、４ＳＬ、４ＳＲ、４ＳＢＬ、４ＳＢＲ及び４ＳＷ）を３次元的に表示したものであり、「測定を完了しました。」の文字により、音場空間の測定が終了したことをユーザに対して認識させるようになされている。
【００７７】
この測定結果画面ＭＦＮ（図１９）では、複数のスピーカ４（４ＦＬ、４ＦＲ、４ＣＴ、４ＳＬ、４ＳＲ、４ＳＢＬ、４ＳＢＲ及び４ＳＷ）に対する３次元配置状態と、リスニングポジションとして設定されたリスニングポイントＬＰ１から各スピーカ４までの距離（ｍ）や、各スピーカ４間の音量バランス（相対値）を示す音量レベル（ｄＢ）等の測定結果との関係性が視覚的に表示されると共に、「次へ」アイコンＡＣ９が表示されている。
【００７８】
制御部１０は、測定結果画面ＭＦＮ（図１９）の「次へ」アイコンＡＣ９にフォーカスが当てられた状態で、リモートコントローラＲＣＬの「エンター」キーが押下操作されたことを認識した場合、図２０に示すように、グラフィック処理部１５により生成した測定結果保存選択画面ＭＳＣにＬＣＤ５の表示を切り換えるようになされている。
【００７９】
ところで制御部１０は、測定結果画面ＭＦＮ（図１９）を介して音場空間の測定が終了したことを通知したものの、何らかの注意事項を警告することが必要な場合、図２１に示すように、グラフィック処理部１５により生成したワーニング確認選択画面ＷＣＰにＬＣＤ５の表示を切り換える。
【００８０】
このワーニング確認選択画面ＷＣＰ（図２１）では、「測定は終了しましたが、測定結果に注意事項があります。確認しますか？」の文字が表示されると共に、「確認する」アイコンＡＣ１２、及び「確認しない」アイコンＡＣ１３が表示される。
【００８１】
制御部１０は、ワーニング確認選択画面ＷＣＰ（図２１）の「確認する」アイコンＡＣ１２にフォーカスが当てられた状態で、リモートコントローラＲＣＬの「エンター」キーが押下操作されたことを認識した場合、図２２〜図２６に示すような各種ワーニング通知画面ＷＮ１〜ＷＮ５にＬＣＤ５の表示を切り換えるようになされている。
【００８２】
ワーニング通知画面ＷＮ１（図２２）では、「Ｗａｒｎｉｎｇ  Ｃｏｄｅ：４０」の文字により、ワーニングコード４０の注意事項が存在すること、及び「測定は完了しましたが、騒音のレベルが高いです。再測定を行うと測定できる場合もありますが、すべての環境で測定ができるとは限りません。できるだけ、周囲の騒音が少ない状態で測定してください。」の文字により、その注意事項の具体的内容及びその対処方法をユーザに通知するようになされている。
【００８３】
また、ワーニング通知画面ＷＮ２（図２３）では、「Ｗａｒｎｉｎｇ  Ｃｏｄｅ：４１」の文字により、ワーニングコード４１の注意事項が存在すること、及び「測定用マイクからの入力が過大です。これ以上大きな音で測定できません。周囲の騒音が小さくなってから再測定してください。」の文字により、その注意事項の具体的内容及びその対処方法をユーザに通知するようになされている。
【００８４】
さらに、ワーニング通知画面ＷＮ３（図２４）では、「Ｗａｒｎｉｎｇ  Ｃｏｄｅ：４２」の文字により、ワーニングコード４２の注意事項が存在すること、及び「アンプのボリュームが過大です。これ以上大きな音で測定できません。周囲の騒音が小さくなってから再測定してください。」の文字により、その注意事項の具体的内容及びその対処方法をユーザに通知するようになされている。
【００８５】
同様に、ワーニング通知画面ＷＮ４（図２５）では、「Ｗａｒｎｉｎｇ  Ｃｏｄｅ：４３」の文字により、ワーニングコード４３の注意事項が存在すること、及び「ウーファーの距離・位相が測定できませんでした。または、スピーカの設置角度が測定できませんでした。ノイズが原因となっている場合があります。周囲が静かな状態で再測定してください。」の文字により、その注意事項の具体的内容及びその対処方法をユーザに通知するようになされている。
【００８６】
また、ワーニング通知画面ＥＮ５（図２６）では、「Ｗａｒｎｉｎｇ  Ｃｏｄｅ：４４」の文字により、ワーニングコード４４の注意事項が存在すること、及び「測定は終了しましたが、以下のスピーカの位相が逆相です。Ｓｕｒｒｏｕｎｄ  ＢａｃｋＬ  Ｓｕｒｒｏｕｎｄ  ＢａｃｋＲ  ＋／−端子が逆に接続されている可能性があります。接続が正しい場合は、スピーカの仕様によるものですので、そのまま使って問題ありません。」の文字により、その注意事項の具体的内容及びその対処方法等をユーザに通知するようになされている。因みに、これらワーニング通知画面ＷＮ１〜ＷＮ５（図２２〜図２６）について説明したが、ワーニング通知画面の種類としてはこれに限るものではない。
【００８７】
ところで制御部１０は、ワーニング通知画面ＷＮ１〜ＷＮ５（図２２〜図２６）の中で表示された「再測定する」アイコンＡＣ１３にフォーカスが当てられた状態で、リモートコントローラＲＣＬの「エンター」キーが押下操作されたことを認識した場合、再度測定処理を実行するべく、上述したリスニングポジション選択画面ＬＰＳ（図８）にＬＣＤ５の表示を切り換えるようになされている。
【００８８】
一方、制御部１０は、ワーニング通知画面ＷＮ１〜ＷＮ５（図２２〜図２６）の中で表示された「測定を終了する」アイコンＡＣ１４にフォーカスが当てられた状態で、リモートコントローラＲＣＬの「エンター」キーが押下操作されたことを認識した場合、グラフィック処理部１５により生成した測定結果保存選択画面ＭＳＣ（図２０）にＬＣＤ５の表示を切り換えるようになされている。
【００８９】
測定結果保存選択画面ＭＳＣ（図２０）では、「測定結果を保存しますか？」の文字と共に、「保存する」アイコンＡＣ１０及び「保存しない」アイコンＡＣ１１が表示されており、スピーカ４の距離、スピーカ４のレベル及び周波数特性に関する各種測定値を測定結果として保存するか、あるいは保存することなく再測定させるかをユーザに問い合わせるようになされている。
【００９０】
制御部１０は、測定結果保存選択画面ＭＳＣ（図２０）の中で表示された「保存しない」アイコンＡＣ１１にフォーカスが当てられた状態で、リモートコントローラＲＣＬの「エンター」キーが押下操作されたことを認識した場合、図２７に示すように、グラフィック処理部１５により生成した再測定選択画面ＲＭＣにＬＣＤ５の表示を切り換えるようになされている。
【００９１】
再測定選択画面ＲＭＣ（図２７）では、「再測定しますか？」の文字と共に、「再測定する」アイコンＡＣ１５及び「測定を終了する」アイコンＡＣ１６が表示されており、先ほど測定結果を保存しないことが選択されたので、再測定させるか、或いは測定を終了させるかをユーザに問い合わせるようになされている。
【００９２】
制御部１０は、再測定選択画面ＲＭＣ（図２７）の中で表示された「再測定する」アイコンＡＣ１５にフォーカスが当てられた状態で、リモートコントローラＲＣＬの「エンター」キーが押下操作されたことを認識した場合、上述した測定スタート画面ＭＳ（図１０）にＬＣＤ５の表示を切り換えるようになされている。
【００９３】
一方、制御部１０は、再測定選択画面ＲＭＣ（図２７）の中で表示された「測定を終了する」アイコンＡＣ１６にフォーカスが当てられた状態で、リモートコントローラＲＣＬの「エンター」キーが押下操作されたことを認識した場合、上述したオートキャリブレーショントップ画面ＴＰ（図７）にＬＣＤ５の表示を切り換えるようになされている。
【００９４】
これに対して制御部１０は、測定結果保存選択画面ＭＳＣ（図２０）の中で表示された「保存する」アイコンＡＣ１０にフォーカスが当てられた状態で、リモートコントローラＲＣＬの「エンター」キーが押下操作されたことを認識した場合、図２８に示すように、グラフィック処理部１５により生成したフルフラット自動補正モード選択画面ＦＡＲにＬＣＤ５の表示を切り換えるようになされている。
【００９５】
このフルフラット自動補正モード選択画面ＦＡＲ（図２８）では、「Ｆｕｌｌ  Ｆｌａｔ」、「Ｅｎｇｉｎｅｅｒ」、「Ｆｒｏｎｔ  Ｒｅｆｅｒｅｎｃｅ」、「ＯＦＦ」の中から、「Ｆｕｌｌ  Ｆｌａｔ」にフォーカスが当てられている状態であって、「各スピーカの周波数測定値を平らにします」の文字が表示されることにより、音場空間の周波数測定結果に対して、各スピーカ４の周波数測定値をフラットに補正する補正モードであることをユーザに通知するようになされている。
【００９６】
制御部１０は、このフルフラット自動補正モード選択画面ＦＡＲに表示されている「Ｆｕｌｌ  Ｆｌａｔ」、「Ｅｎｇｉｎｅｅｒ」、「Ｆｒｏｎｔ  Ｒｅｆｅｒｅｎｃｅ」、「ＯＦＦ」の中から、「Ｅｎｇｉｎｅｅｒ」にフォーカスが当てられると、図２９に示すように、グラフィック処理部１５によって生成したエンジニア自動補正モード選択画面ＥＡＲにＬＣＤ５の表示を切り換える。
【００９７】
エンジニア自動補正モード選択画面ＥＲＡ（図２９）では、「Ｅｎｇｉｎｅｅｒ」にフォーカスが当てられている状態であって、「基準のリスニングルームの周波数特性にします。」の文字が表示されることにより、音場空間の周波数測定結果に対して、各スピーカ４の周波数特性を基準のリスニングルームの周波数特性に補正する補正モードであることをユーザに通知するようになされている。
【００９８】
制御部１０は、このエンジニア自動補正モード選択画面ＥＡＲ（図２９）に表示されている「Ｆｕｌｌ  Ｆｌａｔ」、「Ｅｎｇｉｎｅｅｒ」、「Ｆｒｏｎｔ  Ｒｅｆｅｒｅｎｃｅ」、「ＯＦＦ」の中から、「Ｆｒｏｎｔ  Ｒｅｆｅｒｅｎｃｅ」にフォーカスが当てられると、図３０に示すように、グラフィック処理部１５によって生成したフロントリファレンス自動補正モード選択画面ＦＲＡＲにＬＣＤ５の表示を切り換える。
【００９９】
フロントリファレンス自動補正モード選択画面ＦＲＡＲ（図３０）では、「Ｆｒｏｎｔ  Ｒｅｆｅｒｅｎｃｅ」にフォーカスが当てられている状態であって、「すべてのスピーカの特性をフロントスピーカの特性に合わせます。」の文字が表示されることにより、音場空間の周波数測定結果に対して、各スピーカ４の周波数特性を左フロントスピーカ４ＦＬ及び右フロントスピーカ４ＦＲの周波数特性に合わせるように補正する補正モードであることをユーザに通知するようになされている。
【０１００】
制御部１０は、このフロントリファレンス自動補正モード選択画面ＦＲＡＲ（図３０）に表示されている「Ｆｕｌｌ  Ｆｌａｔ」、「Ｅｎｇｉｎｅｅｒ」、「Ｆｒｏｎｔ  Ｒｅｆｅｒｅｎｃｅ」、「ＯＦＦ」の中から、「ＯＦＦ」にフォーカスが当てられると、図３１に示すように、グラフィック処理部１５によって生成した自動補正オフモード選択画面ＡＲＯにＬＣＤ５の表示を切り換える。
【０１０１】
自動補正オフモード選択画面ＡＲＯでは、「ＯＦＦ」にフォーカスが当てられている状態であって、「自動補正をＯＦＦにします。」の文字が表示されることにより、音場空間の周波数測定結果に対して何ら補正を行わない補正オフモードであることをユーザに通知するようになされている。
【０１０２】
制御部１０は、フルフラット自動補正モード選択画面ＦＡＲ（図２８）、エンジニア自動補正モード選択画面ＥＡＲ（図２９）、フロントリファレンス自動補正モード選択画面ＦＲＡＲ（図３０）、自動補正オフモード選択画面ＡＲＯ（図３１）の何れかを表示中、リモートコントローラＲＣＬの「エンター」キーが押下操作されたことを認識した場合、そのとき対応する種類の補正を自動的に行い、その補正後の設定値を設定データＤ１としてデータ記憶媒体１３に記憶した後、グラフィック処理部１５により生成したオートキャリブレーショントップ画面ＣＴ（図７）にＬＣＤ５の表示を切り換えるようになされている。
【０１０３】
ここまでが、制御部１０によるＧＵＩを用いた自動音場設定方法の説明であって、上述した各種のＧＵＩ画面遷移による自動音場設定処理手順を、次の図３２に示すフローチャートによって説明する。
【０１０４】
（４−２）ＧＵＩを用いた自動音場設定処理手順
図３２に示すように、ホームサーバ２の制御部１０は、アプリケーションプログラムである音響設定プログラムに従い、ルーチンＲＴ１の開始ステップから入って次のステップＳＰ１へ移り、ホーム画面ＨＭ（図３）の「オートキャリブレーション」アイコンＡＣ４が選択決定されたことに応じて、当該ホーム画面ＨＭからオートキャリブレーショントップ画面ＣＴ（図７）へＬＣＤ５の表示を切り換え、次のステップＳＰ２へ移る。
【０１０５】
ステップＳＰ２において制御部１０は、オートキャリブレーショントップ画面ＣＴ（図７）の表示中、リモートコントローラＲＣＬの「エンター」キーに対する押下操作に応じて、音場空間の音場測定を自動的に行うため、リスニングポジション選択画面ＬＰＳ（図８）、測定項目チェック画面ＭＩＣ（図９）、測定スタート画面ＭＳ（図１０）、測定中注意事項画面ＭＺ（図１１）、測定中画面ＭＩＳ（図１２）等の自動音場測定画面を順次ＬＣＤ５に表示し、次のステップＳＰ３へ移る。
【０１０６】
ステップＳＰ３において制御部１０は、ステップＳＰ２で自動音場測定画面（図８〜図１２）の表示中、何らかのエラーが発生したか否かを判定し、肯定結果が得られると、次のステップＳＰ４へ移る。
【０１０７】
ステップＳＰ４において制御部１０は、自動音場測定中に何らかのエラーが発生したので、そのエラーの種類に応じたエラー通知画面ＥＮ１〜ＥＮ５（図１４〜図１８）の何れかをＬＣＤ５に表示し、次のステップＳＰ５へ移る。
【０１０８】
ステップＳＰ５において制御部１０は、エラー通知画面ＥＮ１〜ＥＮ５（図１４〜図１８）の内容を確認したユーザによって「測定を終了する」アイコンＡＣ８が選択決定されたか否かを判定する。
【０１０９】
ここで否定結果が得られると、このことはエラー通知画面ＥＮ１〜ＥＮ５（図１４〜図１８）における「再測定する」アイコンＡＣ７が選択決定されたことを表しており、このとき制御部１０はステップＳＰ２へ戻って、自動音場測定画面としてリスニングポジション選択画面ＬＰＳ（図８）〜測定中画面ＭＩＳ（図１２）を表示し、以降の処理を繰り返す。
【０１１０】
これに対してステップＳＰ５で肯定結果が得られると、このことはエラー通知画面ＥＮ１〜ＥＮ５（図１４〜図１８）の「測定を終了する」アイコンＡＣ８が選択決定されたことを表しており、このとき制御部１０はステップＳＰ１７へ移る。
【０１１１】
ステップＳＰ１７において制御部１０は、音場空間の音場測定を終了し、オートキャリブレーショントップ画面ＣＴ（図７）にＬＣＤ５の表示を戻した後、次のステップＳＰ１８へ移って処理を終了する。
【０１１２】
一方、ステップＳＰ３で否定結果が得られると、このことはステップＳＰ２で自動音場測定画面（図８〜図１２）の表示中、すなわち自動音場測定中に何らエラーが発生していないことを表しており、このとき制御部１０は次のステップＳＰ６へ移り、測定結果画面ＭＦＮ（図１９）をＬＣＤ５に表示した後、次のステップＳＰ７へ移る。
【０１１３】
ステップＳＰ７において制御部１０は、測定結果画面ＭＦＮ（図１９）を表示したものの、自動音場測定中に警告すべき注意事項が発生していたか否かを判定し、肯定結果が得られると次のステップＳＰ８へ移り、否定結果が得られると次のステップＳＰ１２へ移る。
【０１１４】
ステップＳＰ８において制御部１０は、自動音場測定中に警告すべき注意事項が発生していたので、その注意事項をユーザに確認させるか否かを選択させるため、ワーニング確認選択画面ＷＣＰ（図２１）をＬＣＤ５に表示し、次のステップＳＰ９へ移る。
【０１１５】
ステップＳＰ９において制御部１０は、ワーニング確認選択画面ＷＣＰ（図２１）の「確認する」アイコンＡＣ１２が選択決定されたか否かを判定する。ここで否定結果が得られると、このことはユーザに注意事項を確認する意思がないことを表しており、このとき制御部１０は次のステップＳＰ１２へ移る。
【０１１６】
これに対してステップＳＰ９で肯定結果が得られると、このことはユーザに注意事項を確認する意思があることを表しており、このとき制御部１０は次のステップＳＰ１０へ移る。
【０１１７】
ステップＳＰ１０において制御部１０は、ユーザに注意事項を確認させるべく、そのとき存在する注意事項に応じたワーニング内容通知画面ＷＮ１〜ＷＮ５（図２２〜図２６）をＬＣＤ５に表示し、次のステップＳＰ１１へ移る。
【０１１８】
ステップＳＰ１１において制御部１０は、ワーニング内容通知画面ＷＮ１〜ＷＮ５（図２２〜図２６）の中で「再測定する」アイコンＡＣ１３が選択決定されたか否かを判定する。ここで否定結果が得られると、このことは「測定を終了する」アイコンＡＣ１４が選択決定され、ユーザに再測定する意思がないことを表しており、このとき制御部１０は次のステップＳＰ１２へ移る。
【０１１９】
これに対してステップＳＰ１１で肯定結果が得られると、このことはワーニング内容通知画面ＷＮ１〜ＷＮ５の注意事項を確認したユーザに再測定する意思があることを表しており、このとき制御部１０はステップＳＰ２へ戻って、以降の自動音場測定処理を繰り返す。
【０１２０】
ステップＳＰ１２において制御部１０は、測定結果画面ＭＦＮ（図１９）の測定結果を保存するか否かをユーザに選択させるべく測定結果保存選択画面ＭＳＣ（図２０）をＬＣＤ５に表示し、次のステップＳＰ１３へ移る。
【０１２１】
ステップＳＰ１３において制御部１０は、測定結果保存選択画面ＭＳＣ（図２０）の「保存する」アイコンＡＣ１０が選択決定されたか否かを判定する。ここで否定結果が得られると、このことは測定結果画面ＭＦＮ（図１９）を介して自動音場測定処理の測定結果を保存する意思がユーザにないことを表しており、このとき制御部１０は次のステップＳＰ１４へ移る。
【０１２２】
ステップＳＰ１４において制御部１０は、自動音場測定処理の測定結果を保存する意思がユーザにないので、再測定する意思がユーザにあるか否かを問い合わせるべく、再測定選択画面ＲＭＣ（図２７）をＬＣＤ５に表示し、次のステップＳＰ１５へ移る。
【０１２３】
ステップＳＰ１５において制御部１０は、再測定選択画面ＲＭＣ（図２７）の「測定を終了する」アイコンＡＣ１６が選択決定されたか否かを判定する。ここで否定結果が得られると、このことは再測定選択画面ＲＭＣ（図２７）の「再測定する」アイコンＡＣ１５が選択決定されたこと、すなわち音場測定を終了することなく、再測定する意思がユーザあることを表しており、このとき制御部１０はステップＳＰ２へ戻って、以降の自動音場測定処理を繰り返す。
【０１２４】
これに対してステップＳＰ１５で肯定結果が得られると、このことは再測定することなく、音場測定を終了することを表しており、このとき制御部１０は次のステップＳＰ１７へ移る。
【０１２５】
一方、ステップＳＰ１３で肯定結果が得られると、このことは測定結果保存選択画面ＭＳＣ（図２０）の「保存する」アイコンＡＣ１０が選択決定されたので、測定結果画面ＭＦＮ（図１９）を介して自動音場測定処理の測定結果を保存する意思がユーザにあることを表しており、このとき制御部１０は次のステップＳＰ１６へ移る。
【０１２６】
ステップＳＰ１６において制御部１０は、測定結果画面ＭＦＮ（図１９）を介して自動音場測定処理の測定結果を保存する前に、フルフラット自動補正モード選択画面ＦＡＲ（図２８）、エンジニア自動補正モード選択画面ＥＡＲ（図２９）、フロントリファレンス自動補正モード選択画面ＦＲＡＲ（図３０）又は自動補正オフモード選択画面ＡＲＯ（図３１）のいずれかをＬＣＤ５に表示し、その自動補正モード選択画面（図２８〜図３１）を介して補正した補正後の測定値を設定データＤ１としてデータ記憶媒体１３に保存した後、次のステップＳＰ１７へ移る。
【０１２７】
ステップＳＰ１７において制御部１０は、ステップＳＰ１６で設定データＤ１をデータ記憶媒体１３に記憶させたので、上述したオートキャリブレーショントップ画面ＣＴ（図７）にＬＣＤ５の表示を戻し、次のステップＳＰ１８へ移って処理を終了する。
【０１２８】
（４−３）ＧＵＩを用いたマニュアル音場設定方法
次に、ＧＵＩを用いたマニュアル音場設定方法について説明する。実際上、ホームサーバ２の制御部１０は、電源の投入に伴い、グラフィック処理部１５により、ホーム画面ＨＭ（図３）を生成し、これをＬＣＤ５に表示する。
【０１２９】
ホームサーバ２の制御部１０は、ホーム画面ＨＭ（図３）の「セッティング」アイコンＡＣ３及び、その下位階層にある「オートキャリブレーション」アイコンＡＣ４が選択決定されたことに応じてオートキャリブレーショントップ画面ＣＴ（図７）をＬＣＤ５に表示する。
【０１３０】
制御部１０は、このオートキャリブレーショントップ画面ＣＴ（図７）の「メジャー」アイコンＡＣＭが選択されると、図３３に示すようなポジション選択画面ＰＳをグラフィック処理部１５により生成し、これをＬＣＤ５に表示する。
【０１３１】
そして制御部１０は、このポジション選択画面ＰＳ（図３３）のポジションアイコンＡＣＰが選択決定されると、図３４に示すようなマニュアル設定編集画面ＭＳＥをＬＣＤ５に表示し、そのマニュアル設定編集画面ＭＳＥ（図３４）の「マニュアル設定」アイコンＡＣＭが選択決定されると、図３５〜図３９に示すように、グラフィック処理部１５により３次元的に生成されたスピーカ選択画面ＳＳ１〜ＳＳ５の何れかをＬＣＤ５に表示するようになされている。
【０１３２】
スピーカ選択画面ＳＳ１（図３５）は、網掛け処理が施された左フロントスピーカ４ＦＬがマニュアル設定対象として現在選択されていることを視覚的に示している。またスピーカ選択画面ＳＳ２（図３６）は、網掛け処理が施されたサブウーファ４ＳＷがマニュアル設定対象として現在選択されていることを視覚的に示している。
【０１３３】
同様に、スピーカ選択画面ＳＳ３（図３７）は、網掛け処理が施されたセンタスピーカ４ＣＴがマニュアル設定対象として現在選択されていることを視覚的に示し、スピーカ選択画面ＳＳ４（図３８）は、網掛け処理が施された左サラウンドスピーカ４ＳＬがマニュアル設定対象として現在選択されていることを視覚的に示し、スピーカ選択画面ＳＳ５（図３９）は、網掛け処理が施された左サラウンドバックスピーカ４ＳＢＬがマニュアル設定対象として現在選択されていることを視覚的に示している。
【０１３４】
これらスピーカ選択画面ＳＳ１〜ＳＳ５（図３５〜図３９）は、リモートコントローラＲＣＬの「←」キー、「→」キー、「↑」キー、「↓」キーに対するユーザの操作に応じて相互に切り換えられるようになされており、ユーザはマニュアル設定対象として希望するスピーカ４に対応したスピーカ選択画面ＳＳ１〜ＳＳ５（図３５〜図３９）を任意に選択し得るようになされている。
【０１３５】
例えば、制御部１０は、スピーカ選択画面ＳＳ１（図３５）を表示している状態で、リモートコントローラＲＣＬの「エンター」キーが押下操作されたことを認識した場合、図４０に示すように、各スピーカ４の相互位置関係と共に、網掛け処理されたマニュアル設定対象の左フロントスピーカ４ＦＬが他のスピーカ４に比べてどのような音量レベル（＋３ｄＢ）になっているかを相対値として示したスピーカレベル画面ＳＬＶ１をグラフィック処理部１５により生成し、これをＬＣＤ５に表示する。
【０１３６】
このスピーカレベル画面ＳＬＶ１（図４０）では、その直前のスピーカ選択画面ＳＳ１（図３５）の３次元表示から、音場空間を真上から見たときの各スピーカ４の相互位置関係を示した２次元表示に切り換えられた結果であり、スピーカ選択画面ＳＳ１（図３５）ではユーザに理解させ難かった各スピーカ４の相互位置関係を真上から分かり易く提示し得るようになされている。
【０１３７】
因みに制御部１０は、マニュアル設定対象の左フロントスピーカ４ＦＬに対する設定内容を、スピーカレベル画面ＳＬＶ１（図４０）の画面下方に設けられた設定内容提示枠ＦＣを介して提示し得るようになされている。
【０１３８】
この設定内容提示枠ＦＣでは、具体的に、音量レベル（Ｌｅｖｅｌ：＋３．０ｄＢ）、左フロントスピーカ４ＦＬと、リスニングポジション選択画面ＬＰＳ（図８）の「Ｐｏｓｉｔｉｏｎ１」として定められたリスニングポイントＬＰ１との間のスピーカ距離（Ｄｉｓｔａｎｃｅ：２．７ｍ）、及びスピーカサイズ（Ｓｉｚｅ：Ｌａｒｇｅ）が、左フロントスピーカ４ＦＬに対する設定内容として表示される。
【０１３９】
この場合、制御部１０は、スピーカレベル画面ＳＬＶ１（図４０）における左フロントスピーカ４ＦＬの音量レベルを「＋３ｄＢ」の数値として表示すると共に、音量レベルを視覚的なイメージとして示したレベルマークＭＫ１として表示し、かつ左フロントスピーカ４ＦＬの音量レベルを設定内容提示枠ＦＣのアップキーＵＰＫ又はダウンキーＤＷＫによって変化させたときには、音量レベルの数値及びレベルマークＭＫ１を増減させながら表示する。
【０１４０】
これにより制御部１０は、ユーザに対して、左フロントスピーカ４ＦＬに対する音量レベルの変化を数値としてだけでなく、レベルマークＭＫ１により直感的にも認識させ得るようになされている。
【０１４１】
なお制御部１０は、スピーカレベル画面ＳＬＶ１（図４０）における左フロントスピーカ４ＦＬ以外を破線で示しており、これにより、マニュアル設定対象の左フロントスピーカ４ＦＬとそれ以外のスピーカ４との相互位置関係を示しながら、現在着目しているマニュアル設定対象が左フロントスピーカ４ＦＬであることを、ユーザに対して容易に認識させ得るようになされている。
【０１４２】
そして制御部１０は、スピーカレベル画面ＳＬＶ１（図４０）をＬＣＤ５に表示中、リモートコントローラＲＣＬの「→」キーが押下操作されたことを認識した場合、図４１に示すように、グラフィック処理部１５により生成したスピーカ距離画面ＳＤＭをＬＣＤ５に表示するようになされている。
【０１４３】
スピーカ距離画面ＳＤＭ（図４１）では、網掛け処理されたマニュアル設定対象の左フロントスピーカ４ＦＬと、リスニングポイントＬＰ１との間の距離（この場合、２．７ｍ）が表示される。
【０１４４】
この場合も制御部１０は、左フロントスピーカ４ＦＬとリスニングポイントＬＰ１との間を直線で結び、その直線近傍に左フロントスピーカ４ＦＬとリスニングポイントＬＰ１との距離（２．７ｍ）を表示することにより、破線で示された他のスピーカ４とリスニングポイントＬＰ１との距離との比較を直感的かつ数値的に表現し得るようになされている。
【０１４５】
そして制御部１０は、スピーカ距離画面ＳＤＭ（図４１）をＬＣＤ５に表示中、リモートコントローラＲＣＬの「→」キーが押下操作されたことを認識した場合、図４２に示すように、グラフィック処理部１５により生成したスピーカサイズ画面ＳＳＺ１をＬＣＤ５に表示するようになされている。
【０１４６】
スピーカサイズ画面ＳＳＺ１（図４２）では、マニュアル設定対象の左フロントスピーカ４ＦＬのスピーカサイズを変更するに当たって、必ず右フロントスピーカ４ＦＲのスピーカサイズについても揃える必要があるので、この場合、左フロントスピーカ４ＦＬ及び右フロントスピーカ４ＦＲの双方が網掛け処理されている。
【０１４７】
ここでスピーカサイズとは、ラージが全体域再生用スピーカのことであり、スモールが中高帯域再生用スピーカのことであり、制御部１０は左フロントスピーカ４ＦＬ及び右フロントスピーカ４ＦＲをラージ又はスモールに切り換え得るようになされている。
【０１４８】
この場合、制御部１０は、設定内容提示枠ＦＣにおけるスピーカサイズ（Ｓｉｚｅ：Ｌａｒｇｅ）の表示部分に設けられたアップキーＵＰＫ又はダウンキーＤＷＫに合わせてリモートコントローラＲＣＬの「↑」キー又は「↓」キーが押下操作されたことを認識した場合、左フロントスピーカ４ＦＬ及び右フロントスピーカ４ＦＲのスピーカサイズを「ラージ」又は「スモール」に切り換えるようになされている。
【０１４９】
すなわち制御部１０は、ダウンキーＤＷＫに合わせてリモートコントローラＲＣＬの「↓」キーが押下操作されたことを認識した場合、スピーカサイズ画面ＳＳＺ１の設定内容提示枠ＦＣにおけるスピーカサイズ（Ｓｉｚｅ：Ｌａｒｇｅ）を「スモール」に変更するようになされており、図４３に示すように、グラフィック処理部１５により生成したスピーカサイズ画面ＳＳＺ２にＬＣＤ５の表示を切り換えるようになされている。
【０１５０】
この場合、スピーカサイズ画面ＳＳＺ２（図４３）では、左フロントスピーカ４ＦＬ及び右フロントスピーカ４ＦＲのスピーカサイズが「スモール」に切り換えられたイメージとして表示されており、ユーザにとっては設定内容提示枠ＦＣにおけるスピーカサイズ（Ｓｉｚｅ：Ｓｍａｌｌ）の表示部分を見なくても、直感的にスピーカサイズが「スモール」であることを認識することができる。
【０１５１】
同様に、制御部１０は、例えばスピーカ選択画面ＳＳ４（図３８）を表示している状態で、リモートコントローラＲＣＬの「エンター」キーが押下操作されたことを認識した場合、図４４に示すように、各スピーカ４の相互位置関係と共に、網掛け処理されたマニュアル設定対象の左サラウンドスピーカ４ＳＬが他のスピーカ４に比べてどのような音量レベル（＋５ｄＢ）であるかを相対値として示したスピーカレベル画面ＳＬＶ２をグラフィック処理部１５により生成し、ＬＣＤ５に表示する。
【０１５２】
このスピーカレベル画面ＳＬＶ２（図４４）においても、その直前のスピーカ選択画面ＳＳ４（図３８）の３次元表示から、音場空間を真上から見たときの各スピーカ４の相互位置関係を示した２次元表示に切り換えられた結果として表示されており、スピーカ選択画面ＳＳ４（図３８）ではユーザに理解させ難かった各スピーカ４の相互位置関係を真上から分かり易く提示している。
【０１５３】
因みに制御部１０は、マニュアル設定対象の左サラウンドスピーカ４ＳＬに対する設定内容を、スピーカレベル画面ＳＬＶ２（図４４）の画面下方に設けられた設定内容提示枠ＦＣを介して提示し得るようになされており、音量レベル（Ｌｅｖｅｌ：＋５．０ｄＢ）、左サラウンドスピーカ４ＳＬと、リスニングポジション選択画面ＬＰＳ（図８）の「Ｐｏｓｉｔｉｏｎ１」として定められたリスニングポイントＬＰ１との間のスピーカ距離（Ｄｉｓｔａｎｃｅ：２．７ｍ）、及びスピーカサイズ（Ｓｉｚｅ：Ｓｍａｌｌ）を表示する。
【０１５４】
この場合も制御部１０は、スピーカレベル画面ＳＬＶ２（図４４）における左サラウンドスピーカ４ＳＬの音量レベルを「＋５ｄＢ」の数値として表示すると共に、音量レベルを視覚的なイメージとして示したレベルマークＭＫ２として表示し、かつ左サラウンドスピーカ４ＳＬの音量レベルをアップキーＵＰＫ又はダウンキーＤＷＫに合わせてリモートコントローラＲＣＬの「↑」キー又は「↓」キーが押下操作されたことを認識した場合、音量レベルの数値及びレベルマークＭＫ２を増減させながら表示し得るようになされている。
【０１５５】
これにより制御部１０は、ユーザに対して、左サラウンドスピーカ４ＳＬに対する音量レベルの変化を数値としてだけでなく、レベルマークＭＫ２により直感的にも認識させ得るようになされている。
【０１５６】
なお制御部１０は、スピーカレベル画面ＳＬＶ２（図４４）における左サラウンドスピーカ４ＳＬ以外を破線で示しており、これにより、マニュアル設定対象の左サラウンドスピーカ４ＳＬとそれ以外のスピーカ４との相互位置関係を示しながら、現在着目しているマニュアル設定対象が左サラウンドスピーカ４ＳＬであることを、ユーザに対して容易に認識させ得るようになされている。
【０１５７】
そして制御部１０は、スピーカレベル画面ＳＬＶ２（図４４）をＬＣＤ５に表示中、リモートコントローラＲＣＬの「→」キーが３回押下操作されたことを認識した場合、図４５に示すように、グラフィック処理部１５により生成したスピーカ高さ選択画面ＳＨＳ１をＬＣＤ５に表示するようになされている。
【０１５８】
このスピーカ高さ選択画面ＳＨＳ１（図４５）では、マニュアル設定対象の左サラウンドスピーカ４ＳＬのスピーカ高さを変更するに当たって、必ず右サラウンドスピーカ４ＳＲのスピーカ高さについても揃える必要があるので、この場合、左サラウンドスピーカ４ＳＬ及び右サラウンドスピーカ４ＳＲの双方が網掛け処理されている。
【０１５９】
ここでスピーカ高さとは、左サラウンドスピーカ４ＳＬ及び右サラウンドスピーカ４ＳＲから出力される音の音像が上方（Ｈｉｇｈ）に定位するか、或いは下方（Ｌｏｗ）に定位するかを位置付ける基準であり、制御部１０は左サラウンドスピーカ４ＳＬ及び右サラウンドスピーカ４ＳＲの音像定位をＨｉｇｈ又はＬｏｗに切り換え得るようになされている。
【０１６０】
従ってスピーカ高さ選択画面ＳＨＳ１（図４５）では、フォーカスが当てられた左サラウンドスピーカ４ＳＬ及び右サラウンドスピーカ４ＳＲが実線で示され、かつ画面下方に設けられた設定内容提示枠ＦＣに「Ｐｏｓｉｔｉｏｎ：Ｓｉｄｅ／Ｌｏｗ」とあるので、左サラウンドスピーカ４ＳＬ及び右サラウンドスピーカ４ＳＲが下方（Ｌｏｗ）に位置していることを示している。
【０１６１】
制御部１０は、スピーカ高さ選択画面ＳＨＳ１（図４５）の設定内容表示枠ＦＣの「Ｐｏｓｉｔｉｏｎ：Ｓｉｄｅ／Ｌｏｗ」の表示部分に設けられたダウンキーＤＷＫに合わせてリモートコントローラＲＣＬの「↓」キーが押下操作されたことを認識した場合、設定内容表示枠ＦＣを「Ｐｏｓｉｔｉｏｎ：Ｓｉｄｅ／Ｈｉｇｈ」に変更するようになされており、図４６に示すように、グラフィック処理部１５により生成したスピーカ高さ選択画面ＳＨＳ２にＬＣＤ５の表示を切り換えるようになされている。
【０１６２】
このスピーカ高さ選択画面ＳＨＳ２（図４６）では、フォーカスが当てられた左サラウンドスピーカ４ＳＬ及び右サラウンドスピーカ４ＳＲが実線で示され、かつ画面下方に設けられた設定内容提示枠ＦＣに「Ｐｏｓｉｔｉｏｎ：Ｓｉｄｅ／Ｈｉｇｈ」とあるので、左サラウンドスピーカ４ＳＬ及び右サラウンドスピーカ４ＳＲが上方（Ｈｉｇｈ）に位置していることを示している。
【０１６３】
この場合も制御部１０は、スピーカ高さ選択画面ＳＨＳ２（図４６）の設定内容表示枠ＦＣの「Ｐｏｓｉｔｉｏｎ：Ｓｉｄｅ／Ｈｉｇｈ」の表示部分に設けられたダウンキーＤＷＫに合わせてリモートコントローラＲＣＬの「↓」キーが押下操作されたことを認識した場合、設定内容表示枠ＦＣを「Ｐｏｓｉｔｉｏｎ：Ｓｉｄｅ／Ｌｏｗ」に変更するようになされており、スピーカ高さ選択画面ＳＨＳ２（図４６）から上述のスピーカ高さ選択画面ＳＨＳ１（図４５）へＬＣＤ５の表示を切り換えるようになされている。
【０１６４】
さらに制御部１０は、例えばスピーカ選択画面ＳＳ５（図３９）を表示している状態で、リモートコントローラＲＣＬの「エンター」キーが押下操作されたことを認識した場合、図４７に示すように、グラフィック処理部１５により生成したサラウンドバックスピーカ配置選択画面ＳＢＬ１をＬＣＤ５に表示する。
【０１６５】
サラウンドバックスピーカ配置選択図ＳＢＬ１（図４７）は、直前のスピーカ選択画面ＳＳ５（図３９）において左サラウンドバックスピーカ４ＳＢＬだけにフォーカスが当てられている状態であるところ、マニュアル設定対象の左サラウンドバックスピーカ４ＳＢＬのスピーカ配置を変更するに当たっては、必ず右サラウンドバックスピーカ４ＳＢＲのスピーカ配置についても揃える必要があるので、この場合、左サラウンドバックスピーカ４ＳＢＬ及び右サラウンドバックスピーカ４ＳＢＲの双方が網掛け処理されている。
【０１６６】
このサラウンドバックスピーカ配置選択図ＳＢＬ１（図４７）では、リスニングポイントＬＰ１の後方に左サラウンドバックスピーカ４ＳＢＬ及び右サラウンドバックスピーカ４ＳＢＲを双方共に配置した「Ｓｔａｔｕｓ：Ｄｕａｌ」モードの例が表示されている。
【０１６７】
制御部１０は、サラウンドバックスピーカ配置選択図ＳＢＬ１（図４７）を表示中、設定内容表示枠ＦＣの「Ｓｔａｔｕｓ：Ｄｕａｌ」表示部分に設けられているダウンキーＤＷＫに合わせてリモートコントローラＲＣＬの「↓」キーが押下操作されたことを認識した場合、図４８に示すように、グラフィック処理部１５により生成したサラウンドバックスピーカ配置選択画面ＳＢＬ２にＬＣＤ５の表示を切り換える。
【０１６８】
このサラウンドバックスピーカ配置選択画面ＳＢＬ２（図４８）では、リスニングポイントＬＰ１の後方に１個のサラウンドバックスピーカ４ＳＢだけを配置した「Ｓｔａｔｕｓ：Ｓｉｎｇｌｅ」モードの例が表示されている。
【０１６９】
また制御部１０は、サラウンドバックスピーカ配置選択図ＳＢＬ２（図４８）を表示中、設定内容表示枠ＦＣの「Ｓｔａｔｕｓ：Ｓｉｎｇｌｅ」表示部分に設けられているダウンキーＤＷＫに合わせてリモートコントローラＲＣＬの「↓」キーが押下操作されたことを認識した場合、図４９に示すように、グラフィック処理部１５により生成したサラウンドバックスピーカ配置選択画面ＳＢＬ３にＬＣＤ５の表示を切り換える。
【０１７０】
このサラウンドバックスピーカ配置選択画面ＳＢＬ３（図４９）では、リスニングポイントＬＰ１の後方にスピーカ４が配置されることのない例が表示されており、設定内容表示枠ＦＣには「Ｓｔａｔｕｓ：Ｎｏ」が表示されることになる。
【０１７１】
このように制御部１０は、リモートコントローラＲＣＬの「↓」キーに対する押下操作に応じて、サラウンドバックスピーカ配置選択画面ＳＢＬ１（図４７）〜サラウンドバックスピーカ配置選択画面ＳＢＬ３（図４９）の中から左サラウンドバックスピーカ４ＳＢＬ、右サラウンドバックスピーカ４ＳＢＲに対するユーザ所望のスピーカ配置をマニュアル設定させ得るようになされている。
【０１７２】
ここまでが、制御部１０によるＧＵＩを用いたマニュアル音場設定方法の説明であって、上述した各種の画面遷移によるマニュアル音場設定処理手順を、次の図５０に示すフローチャートによって説明する。
【０１７３】
（４−４）ＧＵＩを用いたマニュアル音場設定処理手順
図５０に示すように、ホームサーバ２の制御部１０は、アプリケーションプログラムである音響設定プログラムに従い、ルーチンＲＴ２の開始ステップから入って次のステップＳＰ２１へ移り、ホーム画面ＨＭ（図３）の「オートキャリブレーション」アイコンＡＣ４が選択決定されたことに応じて、当該ホーム画面ＨＭからオートキャリブレーショントップ画面ＣＴ（図７）へＬＣＤ５の表示を切り換え、次のステップＳＰ２２へ移る。
【０１７４】
ステップＳＰ２２において制御部１０は、オートキャリブレーショントップ画面ＣＴ（図７）から、ポジション選択画面ＰＳ（図３３）、マニュアル設定編集画面ＭＳＥ（図３４）を介してスピーカ選択画面ＳＳ１〜ＳＳ５（図３５〜図３９）の何れかをＬＣＤ５に表示し、次のステップＳＰ２３へ移る。
【０１７５】
ステップＳＰ２３において制御部１０は、ユーザがマニュアル設定を希望するスピーカ４に対応したスピーカ選択画面ＳＳ１〜ＳＳ５（図３５〜図３９）が選択決定されたか否かを判定し、否定結果が得られると、ステップＳＰ２２へ戻ってスピーカ選択画面ＳＳ１〜ＳＳ５の何れかが選択決定されるまで上述の処理を繰り返す。
【０１７６】
これに対してステップＳＰ２３で肯定結果が得られると、制御部１０は次のステップＳＰ２４へ移り、例えばステップＳＰ２３でスピーカ選択画面ＳＳ１（図３５）が選択決定された場合、スピーカレベル画面ＳＬＶ１（図４０）、スピーカ距離画面ＳＤＭ（図４１）、スピーカサイズ画面ＳＳＺ１（図４２）、スピーカサイズ画面ＳＳＺ２（図４３）の何れかをスピーカ設定一覧画面としてＬＣＤ５に表示し、次のステップＳＰ２５へ移る。
【０１７７】
このようにステップＳＰ２４では、ユーザにより選択されたスピーカ選択画面ＳＳ１〜ＳＳ５（図３５〜図３９）の何れかに対応したスピーカ設定一覧画面をＬＣＤ５に表示するようになされている。
【０１７８】
ステップＳＰ２５において制御部１０は、ステップＳＰ２４で表示したスピーカ設定一覧画面を介したユーザによるマニュアル設定操作が終了したか否かを判定し、否定結果が得られたときはステップＳＰ２２へ戻って上述の処理を繰り返すのに対し、肯定結果が得られると、次のステップＳＰ２６へ移る。
【０１７９】
ステップＳＰ２６において制御部１０は、マニュアル設定処理を終了し、上述のオートキャリブレーショントップ画面ＣＴ（図７）へＬＣＤ５の表示を戻した後、次のステップＳＰ２７へ移って処理を終了する。
【０１８０】
（４−５）ＧＵＩを用いたスピーカパターンによるマニュアル音場設定処理手順
次に、ホームサーバ２では、上述したように、チャンネル毎にスピーカ４のマニュアル設定処理を行うことに加えて、このＡＶシステム１を２ｃｈ、４ｃｈ、５．１ｃｈ、６．１ｃｈ、７．１ｃｈ、９．１ｃｈ等のスピーカパターンのうち何れかを選択させることにより、音場空間の音場特性をスピーカパターンによって簡易に設定するマニュアル音場設定処理手順について説明する。
【０１８１】
図５１に示すように、ホームサーバ２の制御部１０は、アプリケーションプログラムである音響設定プログラムに従い、ルーチンＲＴ３の開始ステップから入って次のステップＳＰ３１へ移り、ホーム画面ＨＭ（図３）の「オートキャリブレーション」アイコンＡＣ４が選択決定されたことに応じて、当該ホーム画面ＨＭからオートキャリブレーショントップ画面ＣＴ（図７）へＬＣＤ５の表示を切り換え、次のステップＳＰ３２へ移る。
【０１８２】
ステップＳＰ３２において制御部１０は、オートキャリブレーショントップ画面ＣＴ（図７）から、ポジション選択画面ＰＳ（図３３）、マニュアル設定編集画面ＭＳＥ（図３４）を介してスピーカ選択画面ＳＳ１〜ＳＳ５（図３５〜図３９）の何れかをＬＣＤ５に表示し、次のステップＳＰ３３へ移る。
【０１８３】
ステップＳＰ３３において制御部１０は、ユーザがマニュアル設定を希望するスピーカ４に対応したスピーカ選択画面ＳＳ１〜ＳＳ５（図３５〜図３９）が選択決定されたか否かを判定し、肯定結果が得られると、次のステップＳＰ３４へ移る。
【０１８４】
ステップＳＰ３４において制御部１０は、例えばステップＳＰ３３でスピーカ選択画面ＳＳ１（図３５）が選択決定された場合、スピーカレベル画面ＳＬＶ１（図４０）、スピーカ距離画面ＳＤＭ（図４１）、スピーカサイズ画面ＳＳＺ１（図４２）、スピーカサイズ画面ＳＳＺ２（図４３）の何れかをスピーカ設定一覧画面としてＬＣＤ５に表示し、次のステップＳＰ３５へ移る。
【０１８５】
このようにステップＳＰ３４では、ユーザにより選択されたスピーカ選択画面ＳＳ１〜ＳＳ５（図３５〜図３９）の何れかに対応したスピーカ設定一覧画面をＬＣＤ５に表示する。
【０１８６】
ステップＳＰ３５において制御部１０は、ステップＳＰ３４で表示したスピーカ設定一覧画面を介したユーザによるマニュアル設定操作が終了したか否かを判定し、否定結果が得られたときはステップＳＰ３２へ戻って上述の処理を繰り返すのに対し、肯定結果が得られると、次のステップＳＰ３６へ移る。
【０１８７】
ステップＳＰ３６において制御部１０は、マニュアル設定処理を終了し、上述のオートキャリブレーショントップ画面ＣＴ（図７）へＬＣＤ５の表示を戻した後、次のステップＳＰ４２へ移って処理を終了する。
【０１８８】
一方、ステップＳＰ３３で否定結果が得られると、制御部１０は次のステップＳＰ３７へ移り、リモートコントローラＲＣＬの「オプション」キーが選択決定されたか否かを判定する。ここで否定結果が得られると、制御部１０はステップＳＰ３２へ戻って上述の処理を繰り返すのに対し、肯定結果が得られると、次のステップＳＰ３８へ移る。
【０１８９】
ステップＳＰ３８において制御部１０は、オートキャリブレーショントップ画面ＣＴ（図７）の表示中、リモートコントローラＲＣＬの「オプション」キーが選択決定されたことを認識すると、図５２に示すように、グラフィック処理部１５により生成したオプション項目選択画面ＯＩＳをＬＣＤ５に表示し、次のステップＳＰ３９へ移る。
【０１９０】
ステップＳＰ３９において制御部１０は、オプション項目選択画面ＯＩＳ（図５２）のオプション項目欄ＡＲ１のうちスピーカパターン項目ＩＴＭが選択決定されたか否かを判定し、否定結果が得られると、次のステップＳＰ３６へ移って、マニュアル設定のオプションとしてスピーカパターン項目ＩＴＭが選択されることなく、上述のオートキャリブレーショントップ画面ＣＴ（図７）へＬＣＤ５の表示を戻した後、次のステップＳＰ４２へ移って処理を終了する。
【０１９１】
これに対してステップＳＰ３９で肯定結果が得られると、制御部１０は次のステップＳＰ４０へ移り、スピーカパターン項目ＩＴＭが選択されたことに応じて、図５３に示すように、グラフィック処理部１５により生成したスピーカパターン選択表示画面ＳＰＳＤをＬＣＤ５に表示し、次のステップＳＰ４１へ移る。
【０１９２】
スピーカパターン選択表示画面ＳＰＳＤ（図５３）は、複数種類のスピーカパターンを選択項目として示されたスピーカパターン選択欄ＡＲ２が設けられており、リモートコントローラＲＣＬの「↑」キー又は「↓」キーに対する操作により、そのうち例えば７．１ｃｈのスピーカパターンアイコンＡＣ２０にフォーカスが当てられている場合、そのスピーカパターンアイコンＡＣ２０に対応した７．１ｃｈのスピーカ配置状態を視覚イメージとして表示するようになされている。
【０１９３】
従ってユーザは、スピーカパターン選択表示画面ＳＰＳＤ（図５３）を目視確認すれば、自分自身がどのようなスピーカパターンを選択したのかを、スピーカパターンアイコンＡＣ２０の文字表示によって確認し得ると共に、視覚イメージとして表現された７．１ｃｈのスピーカ配置状態によって直感的に認識し得るようになされている。
【０１９４】
制御部１０は、スピーカパターン選択表示画面ＳＰＳＤ（図５３）におけるスピーカパターン選択欄ＡＲ２からユーザ所望の例えば７．１ｃｈのスピーカパターンアイコンＡＣ２０にフォーカスが当てられた状態で、リモートコントローラＲＣＬの「エンター」キーが押下操作されたことを認識すると、そのスピーカパターンアイコンＡＣ２０に対応した７．１ｃｈのスピーカシステムを設定する。
【０１９５】
ステップＳＰ４１において制御部１０は、音場空間に対するスピーカパターンの設定が終了したか否かを判定し、否定結果が得られると、ステップＳＰ４０に戻って上述の処理を繰り返すのに対し、肯定結果が得られると次のステップＳＰ３６へ移る。
【０１９６】
ステップＳＰ３６において制御部１０は、スピーカパターンによるマニュアル設定処理を終了し、上述のオートキャリブレーショントップ画面ＣＴ（図７）へＬＣＤ５の表示を戻した後、次のステップＳＰ４２へ移って処理を終了する。
【０１９７】
このようにホームサーバ２の制御部１０は、スピーカパターン選択表示画面ＳＰＳＤ（図５３）の中から任意に選択したスピーカパターンアイコンＡＣ２０に対応した７．１ｃｈのスピーカシステムを設定すると共に、その具体的なスピーカ配置状態を視覚イメージとして表示することができるので、ユーザに対してアイコン選択操作だけでスピーカ配置状態をリアルにイメージさせながらスピーカシステムを設定させ得るようになされている。
【０１９８】
（５）動作及び効果
以上の構成において、ＡＶシステム１のホームサーバ２は、複数のスピーカ４に対する配置状態と、複数のスピーカ４に対するスピーカ設定内容との関係性を一覧表示した測定結果画面ＭＦＮ（図１９）等をＬＣＤ５に対して表示することにより、これまで表示能力に乏しいＦＬ管１４だけでスピーカ設定を行ってきた従来に比べて、一度にマルチスピーカシステムのスピーカ配置状態及び各スピーカ４に対するスピーカ設定内容をユーザに対して目視確認させ得ると共に、そのスピーカシステムを直感的に認識させることができる。
【０１９９】
特に、従来ではホームサーバ２のＦＬ管１４だけを用いてスピーカ４を１個ずつ個別に設定しなければならなかった関係上、複数のスピーカ４に対する設定を行うためには、全てのスピーカ４に対する設定値をユーザが記憶しておかなければならず、煩雑かつ複雑な設定手法をユーザに強いていたが、このＡＶシステム１では、複数のスピーカ４に対する配置状態及び各スピーカ４に対するスピーカ設定内容を同時に目視確認させながら、スピーカ設定操作を行わせることができるので、その操作性を一段と向上させることができる。
【０２００】
また、このＡＶシステム１では、音場空間に対する音場設定を各種ＧＵＩ画面の流れに沿った指示通りユーザに操作させるだけで済むので、簡単に音場設定操作を実行させることができると共に、各ＧＵＩ画面に操作上の説明、エラー内容、ワーニング等の注意事項等を文字表示することにより、ユーザに取扱説明書を読ませることなくシステムの状態及びその後の処置方法等を提示し、かつ容易に理解させることができる。
【０２０１】
さらにＡＶシステム１では、複数のスピーカ４に対する配置状態を３次元的なスピーカ選択画面ＳＳ１（図３５）から、２次元的なスピーカレベル画面ＳＬＶ１（図４０）にあたかもユーザの視点を切り換えたかのように表示する等、ユーザの理解し易さの観点からＧＵＩ画面を表示制御することができるので、ユーザにとって一目見ただけで当該ＧＵＩ画面の内容を瞬時に理解させ得るグラフィカルユーザインタフェースを提供することができる。
【０２０２】
加えてＡＶシステム１では、立体的に表現した方がユーザにとって容易に理解できるであろうと思われる内容については、スピーカサイズ画面ＳＳＺ１（図４２）、スピーカサイズ画面ＳＳＺ２（図４３）、スピーカ高さ選択画面ＳＨＳ１（図４５）及びスピーカ高さ選択画面ＳＨＳ２（図４６）等のように最初から３次元表示する。
【０２０３】
さらにＡＶシステム１では、例えばスピーカ選択画面ＳＳ１（図３５）で左フロントスピーカ４ＦＬが選択決定されたことに応じて、当該左フロントスピーカ４ＦＬをマニュアル設定するためのスピーカレベル画面ＳＬＶ１（図４０）を表示した場合、マニュアル設定対象である左フロントスピーカ４ＦＬだけを実線や網掛け処理によって表示し、他のスピーカ４に対してはマニュアル設定操作や選択決定すら出来ないように破線等で薄く表示したことにより、ユーザのマニュアル設定時の誤操作を未然かつ確実に防止することができる。
【０２０４】
さらにＡＶシステム１では、音場空間の音場特性を複数種類のスピーカ４を用いて設定する場合、各スピーカ４の有無、サイズ等によって非常に多くのマトリクス的な組み合わせからなるスピーカパターンが存在するが、それをユーザにマトリクス表として提示するのではなく、スピーカパターン選択画面ＳＰＳＤ（図５３）を介して複数のスピーカパターンに対する実際の視覚イメージをユーザに目視確認させながら選択させることにより、スピーカパターンによって設定するマニュアル音場設定処理を容易に実行させることができる。
【０２０５】
以上の構成によれば、ＡＶシステム１では、音場設定操作を従来に比較して一段と容易に実行させ得るグラフィカルユーザインタフェースを提供することができる。
【０２０６】
（６）他の実施の形態
なお上述の実施の形態においては、一通りのＧＵＩ画面の流れを説明したが、本発明はこれに限らず、ＧＵＩ画面の画面遷移としてはその他種々の組み合わせや順番に変更するようにしても良い。
【０２０７】
また上述の実施の形態においては、スピーカ選択画面ＳＳ１（図３５）〜スピーカ選択画面ＳＳ５（図３５）によって、マニュアル設定対象のスピーカ４を１個だけ選択するようにした場合について述べたが、本発明はこれに限らず、マニュアル設定対象のスピーカ４を複数選択できるようにしても良い。
【０２０８】
さらに上述の実施の形態においては、ホームサーバ２の制御部１０がＲＯＭに格納された音響設定プログラムをＲＡＭ上に展開し、その音響設定プログラムに従って、ＧＵＩを用いた自動音場設定処理手順（図３２）や、ＧＵＩを用いたマニュアル音場設定処理手順（図５０）及びＧＵＩを用いたスピーカパターンによるマニュアル音場設定処理手順（図５１）を実行するようにした場合について述べたが、本発明はこれに限らず、制御部１０がＣＤ(Compact Disc)、ＤＶＤ(Digital Versatile Disc)、半導体メモリ等の記録媒体からインストールした音響設定プログラムや、インターネットからダウンロードした音響設定プログラムに従って上述の各種処理手順を実行するようにしても良い。
【０２０９】
さらに上述の実施の形態においては、マルチチャンネルに対応した複数のスピーカ４を接続対象とした音響装置としてのホームサーバ２を、複数のスピーカ４に対する個々のスピーカ設定をそれぞれ個別に行うスピーカ設定手段としての制御部１０、当該制御部１０によって行われる複数のスピーカ４に対する配置状態と、複数のスピーカ４に対するスピーカ設定内容との関係性を表示部としてのＬＣＤ５に対して視覚的に表示するグラフィカルユーザインタフェース手段としてのグラフィック処理部１５によってハードウェア的に構成するようにした場合について述べたが、本発明はこれに限らず、制御部１０及びグラフィック処理部１５をソフトウェア的に構成したり、制御部１０及びグラフィック処理部１５を一体的に構成するようにしても良い。
【産業上の利用可能性】
【０２１０】
本発明の音響装置、音響設定方法及び音響設定プログラムは、例えばマルチチャンネル対応のＤＶＤマルチスピーカシステム、車載用のマルチチャンネルスピーカシステム、劇場のマルチスピーカシステム等において複数のスピーカ設定を行う用途に適用することができる。
【図面の簡単な説明】
【０２１１】
【図１】ＡＶシステムの全体構成を示す略線図である。
【図２】ホームサーバの構成を示す略線的ブロック図である。
【図３】ホーム画面を示す略線図である。
【図４】ビデオ映像を示す略線図である。
【図５】ＣＤ再生中の通知画面を示す略線図である。
【図６】携帯型音楽プレーヤ再生中の通知画面を示す略線図である。
【図７】オートキャリブレーショントップ画面を示す略線図である。
【図８】リスニングポジション選択画面を示す略線図である。
【図９】測定項目チェック画面を示す略線図である。
【図１０】測定スタート画面を示す略線図である。
【図１１】測定中注意事項画面を示す略線図である。
【図１２】測定中画面を示す略線図である。
【図１３】測定中止問合画面を示す略線図である。
【図１４】エラー通知画面（１）を示す略線図である。
【図１５】エラー通知画面（２）を示す略線図である。
【図１６】エラー通知画面（３）を示す略線図である。
【図１７】エラー通知画面（４）を示す略線図である。
【図１８】エラー通知画面（５）を示す略線図である。
【図１９】測定結果保存選択画面を示す略線図である。
【図２０】測定結果保存選択画面を示す略線図である。
【図２１】ワーニング確認選択画面を示す略線図である。
【図２２】ワーニング内容通知画面（１）を示す略線図である。
【図２３】ワーニング内容通知画面（２）を示す略線図である。
【図２４】ワーニング内容通知画面（３）を示す略線図である。
【図２５】ワーニング内容通知画面（４）を示す略線図である。
【図２６】ワーニング内容通知画面（５）を示す略線図である。
【図２７】再測定選択画面を示す略線図である。
【図２８】フルフラット自動補正モード選択画面を示す略線図である。
【図２９】エンジニア自動補正モード選択画面を示す略線図である。
【図３０】フロントリファレンス自動補正モード選択画面を示す略線図である。
【図３１】自動補正オフモード選択画面を示す略線図である。
【図３２】ＧＵＩを用いた自動音場設定処理手順を示すフローチャートである。
【図３３】ポジション選択画面を示す略線図である。
【図３４】マニュアル設定編集画面を示す略線図である。
【図３５】スピーカ選択画面（１）を示す略線図である。
【図３６】スピーカ選択画面（２）を示す略線図である。
【図３７】スピーカ選択画面（３）を示す略線図である。
【図３８】スピーカ選択画面（４）を示す略線図である。
【図３９】スピーカ選択画面（５）を示す略線図である。
【図４０】スピーカレベル画面（１）を示す略線図である。
【図４１】スピーカ距離画面を示す略線図である。
【図４２】スピーカサイズ画面（１）を示す略線図である。
【図４３】スピーカサイズ画面（２）を示す略線図である。
【図４４】スピーカレベル画面（２）を示す略線図である。
【図４５】スピーカ高さ選択画面（１）を示す略線図である。
【図４６】スピーカ高さ選択画面（２）を示す略線図である。
【図４７】サラウンドバックスピーカ配置選択画面（１）を示す略線図である。
【図４８】サラウンドバックスピーカ配置選択画面（２）を示す略線図である。
【図４９】サラウンドバックスピーカ配置選択画面（３）を示す略線図である。
【図５０】ＧＵＩを用いたマニュアル音場設定処理手順を示すフローチャートである。
【図５１】ＧＵＩを用いたスピーカパターンによるマニュアル音場設定処理手順を示すフローチャートである。
【図５２】オプション項目選択画面を示す略線図である。
【図５３】スピーカパターン選択表示画面を示す略線図である。
【符号の説明】
【０２１２】
１……ＡＶシステム、２……ホームサーバ、３Ａ……ＤＶＤプレーヤ、３Ｂ……ＣＤプレーヤ、３Ｃ……携帯型音楽プレーヤ、４ＦＲ……右フロントスピーカ、４ＦＬ……左フロントスピーカ、４ＳＲ……右サラウンドスピーカ、４ＳＬ……左サラウンドスピーカ、４ＣＴ……センタスピーカ、４ＳＢＲ……右サラウンドバックスピーカ、４ＳＢＬ……左サラウンドバックスピーカ、４ＳＷ……サブウーファ、ＲＣＬ……リモートコントローラ、１０……制御部、１１……操作入力部、１２……インタフェース、１３……データ記憶媒体、１４……ＦＬ管、１５……グラフィック処理部、１６……ディジタル信号処理部、１７……配信処理部、１８……アナログ信号処理部。
【図１】
2008072399.tif 000003
【図２】
2008072399.tif 000004
【図３】
2008072399.tif 000005
【図４】
2008072399.tif 000006
【図５】
2008072399.tif 000007
【図６】
2008072399.tif 000008
【図７】
2008072399.tif 000009
【図８】
2008072399.tif 000010
【図９】
2008072399.tif 000011
【図１０】
2008072399.tif 000012
【図１１】
2008072399.tif 000013
【図１２】
2008072399.tif 000014
【図１３】
2008072399.tif 000015
【図１４】
2008072399.tif 000016
【図１５】
2008072399.tif 000017
【図１６】
2008072399.tif 000018
【図１７】
2008072399.tif 000019
【図１８】
2008072399.tif 000020
【図１９】
2008072399.tif 000021
【図２０】
2008072399.tif 000022
【図２１】
2008072399.tif 000023
【図２２】
2008072399.tif 000024
【図２３】
2008072399.tif 000025
【図２４】
2008072399.tif 000026
【図２５】
2008072399.tif 000027
【図２６】
2008072399.tif 000028
【図２７】
2008072399.tif 000029
【図２８】
2008072399.tif 000030
【図２９】
2008072399.tif 000031
【図３０】
2008072399.tif 000032
【図３１】
2008072399.tif 000033
【図３２】
2008072399.tif 000034
【図３３】
2008072399.tif 000035
【図３４】
2008072399.tif 000036
【図３５】
2008072399.tif 000037
【図３６】
2008072399.tif 000038
【図３７】
2008072399.tif 000039
【図３８】
2008072399.tif 000040
【図３９】
2008072399.tif 000041
【図４０】
2008072399.tif 000042
【図４１】
2008072399.tif 000043
【図４２】
2008072399.tif 000044
【図４３】
2008072399.tif 000045
【図４４】
2008072399.tif 000046
【図４５】
2008072399.tif 000047
【図４６】
2008072399.tif 000048
【図４７】
2008072399.tif 000049
【図４８】
2008072399.tif 000050
【図４９】
2008072399.tif 000051
【図５０】
2008072399.tif 000052
【図５１】
2008072399.tif 000053
【図５２】
2008072399.tif 000054
【図５３】
2008072399.tif 000055